(57)【特許請求の範囲】
【請求項１】
可視光の波長以外の波長を有する光を照射する投光手段と、
前記可視光及び前記投光手段により照射される光の波長領域に感度を持つ撮像手段と、
前記可視光及び前記投光手段による照射光を透過し、前記可視光の透過率に対して前記投光手段による照射光の透過率が高い分光透過特性を有し、前記投光手段及び前記撮像手段を覆うカバーと
を備えた照明付き監視カメラ装置。
【請求項２】
可視光の波長以外の波長を有する光を照射する投光手段と、
前記可視光及び前記投光手段により照射される光の波長領域に感度を持つ撮像手段と、
前記撮像手段の撮像面側に対して前記投光手段の照射面側が肉薄に形成され、前記投光手段及び前記撮像手段を覆うカバーと
を備えた照明付き監視カメラ装置。
【発明の詳細な説明】
【技術分野】
【０００１】
この発明は、例えば、昼間などのように可視光で撮影可能な場合には可視光で撮影を行い、夜間などのように撮影に十分な光量が得られない場合には可視光以外の波長の照明に切替えて撮影を行う照明付き監視カメラ装置に関するものである。
【背景技術】
【０００２】
従来の照明付き監視カメラ装置では、透明または半透明のカバー内にカメラ及び投光手段を有している。カメラは昼間などのように可視光で撮影可能な場合には可視光で撮影を行い、夜間などのように撮影に十分な光量が得られない場合には、投光手段により可視光以外の波長（例えば、近赤外線）の光を照射することによって撮影を行う。このことにより、カメラ周辺が暗いとき、監視されている人物に気づかれることなく撮影することができる（例えば、特許文献１参照）。
【０００３】
また、コールドミラーを有するミラーケースに赤外線発光装置と赤外線カメラが内蔵され、赤外線を透過して可視光をミラーとして反射するように構成した照明付き監視カメラ装置もある（例えば、特許文献２参照）。
【先行技術文献】
【特許文献】
【０００４】
【特許文献１】特開２００５―１３６８００号広報（第３頁、第図１）
【特許文献２】特開２００２―３１６５８０号広報（第２頁、第図１、図４）
【発明の概要】
【発明が解決しようとする課題】
【０００５】
しかしながら、特許文献１に開示される従来の照明付き監視カメラ装置において、透明のドームカバーを使用した場合には、昼間など周囲が明るい場合には、監視されている人物がカメラを見ることができる。そのため、監視されている人物が不快に感じたり、犯罪を行おうとしている人物がカメラの存在に気づき、犯罪の瞬間を撮影できなくなる恐れがあるという課題があった。
【０００６】
また、特許文献２に開示される従来の照明付き監視カメラ装置のように、コールドミラーなどによるカバーを使用した場合には、カバー内のカメラは外部から見えなくなる。しかしながら、監視カメラのように天井など、鏡が通常配置されない場所に設置すると、かえって反射鏡が目立ち、監視されていることを気づきやすくなる恐れがあるという課題があった。また、コールドミラーは可視光を透過せず、赤外線を透過するだけなので、赤外線カメラのみの使用となり、昼間にカラー撮影ができないという課題があった。
【０００７】
また、特許文献１，２に開示される従来の照明付き監視カメラ装置において、カメラが目立たなくなるようにカバーを半透明またはハーフミラーにすると、カメラは目立たなくなるが、内蔵している投光手段による光が透過する際に減光し、被写体が暗く見え、また、撮影可能な範囲が狭くなってしまうという課題がある。また、これを改善するためには、投光手段の大型化、消費電力の増大などが必要となるという課題があった。
【０００８】
この発明は、上記のような課題を解決するためになされたもので、カメラが目立たなくかつ投光手段による光が減光されることなく広い範囲を撮影することができる照明付き監視カメラ装置を提供することを目的としている。
【課題を解決するための手段】
【０００９】
この発明に係る照明付き監視カメラ装置は、可視光の波長以外の波長を有する光を照射する投光手段と、可視光及び投光手段により照射される光の波長領域に感度を持つ撮像手段と、可視光及び投光手段による照射光を透過し、可視光の透過率に対して投光手段による照射光の透過率が高い分光透過特性を有し、投光手段及び撮像手段を覆うカバーとを備えたものである。
【発明の効果】
【００１０】
この発明によれば、上記のように構成したので、可視光の透過率に対して投光手段による照射光の透過率が高い分光透過特性を有するカバーを備えることで、カメラが目立たなく、夜間は投光手段による光がカバーにほとんど減光されることなく照射され、暗くなることを防止でき、広い範囲を撮影することができる。
【図面の簡単な説明】
【００１１】
【図１】この発明の実施の形態１に係る照明付き監視カメラ装置の構造を示す分解斜視図である。
【図２】この発明の実施の形態１におけるカメラ基板の感度特性を示すグラフである。
【図３】この発明の実施の形態１におけるドームカバーの分光透過率を示すグラフである。
【図４】この発明の実施の形態２に係る照明付き監視カメラ装置の構造を示す分解斜視図である。
【図５】この発明の実施の形態２におけるカバー部の内側を示す外観図である。
【図６】この発明の実施の形態２における光学系、投光手段及びカバーの配置を示す配置図である。
【発明を実施するための形態】
【００１２】
以下、この発明の実施の形態について図面を参照しながら詳細に説明する。
実施の形態１．
図１はこの発明の実施の形態１に係る照明付き監視カメラ装置の構造を示す分解斜視図である。
照明付き監視カメラ装置は、図１に示すように、天井に設置されたベース１と、ベース１に取り付けられる本体２と、本体２を覆うようにベース１に取り付けられるカバー３とから構成される。
【００１３】
本体２は、不図示の装置の電源、撮影された映像の処理部、外部との通信部、撮影装置の可動部などが実装されたものである。この本体２は、支持部４を介して、監視領域を撮像するカメラ部５を支持している。
【００１４】
支持部４は、軸４ａを中心にカメラ部５を上下方向に回動自在に支持するとともに、自身が本体２により左右方向に回動されることによって、カメラ部５の撮像方向を調整するものである。
【００１５】
カメラ部５は、監視領域を撮像するためのＣＣＤ（Charge Coupled Device）やＣＭＯＳ（Complementary Metal-Oxide Semiconductor）などの撮像素子を有するカメラ基板（撮像手段）６と、カメラ基板６上に取り付けられたレンズを含む光学系７と、カメラ基板６上の周囲に配置され、カメラ基板６の撮像範囲に対して可視光以外の波長の光を照射するＬＥＤ（Light Emitting Diode）からなる投光手段８とから構成される。
【００１６】
図２はこの発明の実施の形態１におけるカメラ基板６の一般的な感度特性を示すグラフである。
図２に示すように、カメラ基板６では、可視光以外にも近紫外線２０及び近赤外線領域２１にも感度を持っており、投光手段８によりこれらの波長領域の光を照射することによって撮像することが可能となる。このため、投光手段８として、例えば近赤外線照明を用いてもよい。
【００１７】
カバー３は、撮影されている人物に気づかれないように半透明部材からなるドームカバー９と、硬質の部材からなる筐体１０とから構成される。このカバー３は、本体２及びカメラ部５を覆い、筐体１０をベース１に取り付けて固定することによって、内部構造を、塵埃、カビ、昆虫などの外部の干渉要因から保護する。
【００１８】
ここで、ドームカバー９の分光透過率について説明する。
図３はこの発明の実施の形態１におけるドームカバー９の分光透過率の特性例を示すグラフである。なお、図３では、投光手段８により近赤外線光が照射された場合を示している。
図３に示すように、ドームカバー９では、可視光領域（およそ４００ｎｍ〜７００ｎｍ）２２の透過率がおよそ５０％（半透明）、近赤外線領域（およそ７００ｎｍ〜１０００ｎｍ）２３の透過率がおよそ９０％（透明）となるような材料を選択して構成する。
なお、ドームカバー９はこのような特性を有するよう調色した樹脂材料にて成形する以外にも、上記波長領域全てを透過する材料からなるドームカバーに可視光のみを減光するフィルタを塗布、蒸着など行うことにより構成してもよい。
【００１９】
以上のように、この実施の形態１によれば、ドームカバー９を、可視光の波長領域ではカメラが目立たなくなる程度に透過率を下げ、投光手段８により照射される波長領域では透過率を上げるように構成したので、昼間に監視されている人物にカメラが目立たないようにドームカバー９を半透明にしているにも関わらず、夜間のような日光が入らず、投光手段８による光のみによって撮影する場合にも光が減光されずに照射されるため、明るさが不足して撮影範囲が狭くなったり、撮影した人物が見難くなることで十分な監視ができなくなることを防ぐことができる。また、投光手段８による光の明るさが向上することにともなって、機器の大型化、消費電力の増大を防ぐことができる。
【００２０】
なお、実施の形態１における投光手段８では、ＬＥＤにより構成される場合について示したが、これに限るものではなく、蛍光灯、電球などにより構成しても良く、投光手段８の種類は限定されるものではない。
【００２１】
また、実施の形態１におけるカバー３では、ドームカバー９と筐体１０とを別体に構成したが、このドームカバー９と筐体１０を一体成形してもよく、筐体１０に対応する部分だけを塗装するように構成してもよい。
【００２２】
実施の形態２．
図４はこの発明の実施の形態２に係る照明付き監視カメラ装置を示す分解斜視図である。
なお、図４に示す実施の形態２に係る照明付き監視カメラ装置において、図１に示す実施の形態１に係る照明付き監視カメラ装置と同様の構成については同一の符号を付し、その説明を省略する。
照明付き監視カメラ装置は、図４に示すように、ベース１１、本体２及びカバー１２から構成される。
ベース１１は、天井に設置されるものであり、本体２が左右方向に回動して位置決めを行うための長穴部１１ａが形成されている。
【００２３】
本体２は、長穴部１１ａにより所望の向きに設置して、ネジ等により締結することによってベース１１に保持される。この本体２は、支持部１３を介して、監視領域を撮像するカメラ部１４を支持している。
この支持部１３は、支持部１３の軸１３ａを中心にカメラ部１４を上下方向に回動自在に支持することによって、カメラ部１４の撮像方向を調整するものである。
【００２４】
カメラ部１４は、カメラ基板６、レンズを含む光学系７及びレンズの左右に設けられた投光手段８に加えて、光学系７の一部品であるクッション１５から構成される。
クッション１５は、レンズの周囲に配置され、カバー１２と密着することで、投光手段８による光がカバー１２に反射してレンズに入り込むことを防ぐものである。
【００２５】
カバー１２は、撮影されている人物に気づかれないような半透明の硬質部材からなる前面カバー１６と、硬質部材からなる筐体１７とから構成される。このカバー１２は、本体２及びカメラ部１４を覆い、筐体１７をベース１１に取り付けて固定することによって、内部構造を、塵埃、カビ、昆虫などの外部の干渉要因から保護する。
【００２６】
また、前面カバー１６は、図５，６に示すように、クッション１５が回動する部分（カメラ基板６の撮像面側）が肉厚に構成された肉厚部１８と、投光手段８による光が通過する部分（投光手段８の照射面側）が、肉厚部１８に対して肉薄に構成された肉薄部１９とから構成されている。
【００２７】
以上のように、この実施の形態２によれば、前面カバー１６の、カメラ基板６による撮像面側を肉厚すなわち透過率を低くし、投光手段８による照射面側を肉薄すなわち透過率を高くするように構成したので、監視されている人物は撮影されていることに気づかない。また、投光手段８による光が前面カバー１６により減光されることを低減できるため、明るさが不足して撮影範囲が狭くなったり、撮影した人物が見難くなることで十分な監視ができなることを防ぐことができる。また、投光手段８による光の明るさが向上することにともなって、機器の大型化、消費電力の増大を防ぐことができる。
【符号の説明】
【００２８】
１  ベース、２  本体、３  カバー、４  支持部、４ａ  軸、５  カメラ部、６  カメラ基板（撮像手段）、７  光学系、８  投光手段、９  ドームカバー、１０  筐体、１１  ベース、１１ａ  長穴部、１２  カバー、１３  支持部、１３ａ  軸、１４  カメラ部、１５  クッション、１６  前面カバー、１７  筐体、１８  肉厚部、１９  肉薄部。
【図１】
0005590931.tif 000002
【図２】
0005590931.tif 000003
【図３】
0005590931.tif 000004
【図４】
0005590931.tif 000005
【図５】
0005590931.tif 000006
【図６】
0005590931.tif 000007